(57)【要約】【課題】露天干しの一実施例として、スペースに応じた自在な大きさ、形状に形成された物干さおに洗濯物を干す作業で諸用で出掛けたり、うっかりした等の時に雨が降って来ても、半乾きの洗濯物は雨を避ける。  また、雨が上がったら元の物干し状態に必要とする短詩間で戻る物干し設備を提供する。【解決手段】物干し中に雨が降って来たら少量の水滴をジョウゴで集めバランスの保たれた天びん棒の一端の保水部分に保水して該水の重量でバランスを崩した天びん棒の一点でスイッチを圧しモーターを正回転させ、雨が上がると、保水部の水が毛細現象等で放水されて該保水部が空になって、天びん棒が元のバランスの位置に戻るその天びん棒の動きでスイッチを圧す状態から解放してリレーを介してモーターを逆回転させ、干し物が雨が降れば該雨を避け、雨が上がれば元の位置に戻ることを、必要に応じ自動で何度でも繰り返す様に構成したものである。【選択図】    図１
2007111080.tif 000002
【特許請求の範囲】
【請求項１】
支点を中心にして天びん棒の左右の重量のバランス（以下バランスと言う）の保たれた、天びん棒の一方向の一端の保水部分に、降雨の水滴をジョウゴ状の斜面で集め保水して、該保水の重量（数ｇ）により天びん棒（以下棒と言う）のバランスの崩に伴う、棒の移動による動きＡと、該保水された水を放水して再び保水部を空にして、上記の元のバランスの位置に戻る棒の動きＢで、電気のスイッチを圧したり解放したりして信号を出すことを特徴とする、降雨、雨上がりの、感知装置を設けた物干しシステム。
【請求項２】
請求項１記載の降雨、雨上がり、感知装置の保水部に保水した水を、布、ひも等（以下ひもと言う）を該水中から、その水位の下まで垂らして毛細現象等（以下毛細現象と言う）の作用で、ひもを介して該保水を少しづつ放水して、保水部を空にして棒が元のバランスに戻る動きで、電気のスイッチを解放した信号で雨の上がったことを感知するが、上記のひもの太さ、長さの調整で放水の速度を（数分から）自在な時間に設定できることを特徴とする請求項１、に記載の感知装置を設けた物干しシステム。
【請求項３】
請求項１、請求項２、に記載の降雨、雨上がり、の感知装置の機能により、干し物は少しの降雨でも感知してモーターの正駆動で干し物は該雨を避け、雨が上がると短時間で再びモーターの逆駆動で自動的に元に戻す作業を、必要に応じ何度でも繰り返すことを特徴とする物干しシステム。
【請求項４】
請求項１、請求項２、請求項３に記載の降雨、雨上がり、感知装置を設置し各さお部品を組合わせて、図３、図４の様にスペースに適した、必要に応じた大きさや形状を自在に構成できる事を特徴とする物干しシステム。
【発明の詳細な説明】
【技術分野】
【０００１】
本発明は、露天での干し物の際に雨が降って来たら短時間で、干し物は雨にぬれない場所に移動して雨を避け、雨が上がれば再び元の物干し状態に短時間に戻ることを、必要に応じ何度でも繰り返す、物干しシステムに関するものである。
【背景技術】
【０００２】
従来より、たとえば洗濯物を露天に干した場合、外出したり又うっかりした時に不意な雨が降ってきて、せっかく乾かしている干し物を、ぬらしてしまう事がよくあった。
または、特開２００４ー２７９３９２号公報によると、図１の符号、１．導体２．導体、との間に３，吸湿性の媒体、を挟み込み降雨があると、３．吸湿性媒体に水分が保持され１．導体２．導体とが通電し機能が発揮されるが、雨があがって３．吸湿性媒体から保水した水分が抜けて自然に乾燥すると１．導体と２．導体との通電が途絶える、提案がなされている。
また、図９符号３７．シート．笠．屋根等の移動しての、該下のスペース範囲での干し物の雨からの回避装置が提案されている。
【０００３】
【特許文献１】特開２００４−２７９３９２号公報
【発明の開示】
【発明が解決しようとする課題】
【０００４】
しかし、従来の方法では雨が降って来て、すぐに干し物は雨を避けることが出来ても、雨が上がっても 吸湿性の媒体が自然に乾燥するまでは、雨が上がった状態を感知できないのでその間、干し物は雨を避けた状態が続くと言う欠点がある。
また．シート．笠．屋根、等の移動による干し物の防雨には構造上スペース的に限度があると言う欠点がある。
【０００５】
そこで、本発明は簡単な機構によって、露天に干し物を乾燥のために干した場所に不意に雨が降って来ても、本発明の感知装置で感知してすみやかに、干し物を降雨から避け、雨が上がると該感知装置が再び、必要に応じた調節で自在に（数分）短時間で雨の上がった事を感知 して、元の露天干の状態に戻して、効率よく干し物を乾燥させる事を目的としてなされたものである。
【課題を解決するための手段】
【０００６】
本発明にかかる請求項１、請求項２、請求項３、請求項４、請求項５の物干しシステムを、以下図、と符号に基づき説明する符号２．の支点を中心に１．棒を左右の重量バランスを保ち、該１．棒の一方向先端の３．保水部分に７．ジョウゴウ状（以下ジョウゴウと言う）の斜面で１１．降雨の１２．水滴を３．保水部に集めた６．水の重量で１．棒のバランスが崩れ該１棒．が移動して９．スイッチを動かし降雨を感知して４図、５図、の１４．モーターを正回転で駆動させワイヤー等（以下ワイヤーと言う）を巡回するようにに引き寄せ、ワイヤーに連接して干している干し物を雨のかからない場所に取り入れるように構成した。
次に請求項２では５、ひもの毛細現象の作用で３、保水部分に降雨が続いて、保水量を越える水１８、はオーバーフローするが３、保水部分の６、水の重量が確保されて、（ただし常に５、ひもによる毛細現象の作用で少しずつ放水されているが、）雨が上がると放水のみになって結果３、保水部分が空になって１、棒が跳ね上がり、移動する動きで９、スイッチを元に戻し雨の上がった事を１３、感知部で感知して、さらにリレーを介して再び１４、モーターを逆回転駆動させワイヤーを巡回転的に引き寄せ必要に応じた時間で元の物干し状態に戻すように構成した。
請求項３では、図４、図５、の様に１４．モーターを基点に自在な長さの部品１５．直線な、さお１６、曲線な、さおを物干し場のスペースに必要に応じた形状や規模に１７．で連接して自在に組みあわせるように構成した。
【０００７】
さらに本物干しシステムは、日曜大工程度の軽作業で容易に設置できるように構成した。  
【発明の効果】
【０００８】
本発明は、前記説明のように構成されているので、諸用で出掛るとき等天気を気にする事なく、不意な降雨があっても干し物は自動的に降雨を避けたり、また雨が上がると元の降雨の前の状態に戻って効率よく乾燥 することができる。
【発明を実施するための最良の形態】
【０００９】
以下に、本発明にかかる物干しシステムを、その実施の形態を示した図と符号に基づいて詳細に説明する。
【実施例】
【００１０】
図１は、本発明の一実施例にかかる物干しシステムの、１３．感知装置の側断面図であり、２．支点を中心に１．棒の左右の両端にそれぞれ３．保水部４．重り５．ひもを設け１、棒を平行にバランスを保った図である。
図２は、上記説明の図１に１１．降雨を７．ジョウゴウで集め１２．水滴が３．保水部に保水され、その重量で１．棒の平行バランスが崩その１．棒の移動の動きで１．棒で９、の９．スイッチを圧した状態を示す、なお１１．降雨が続けば３．保水量よりあまった６．水は３．保水部より１８．オーバーフローし、片や６．ひもを介して常に毛細現象で少しづつ放水もしている図である。
【００１１】
このとき、干し物は雨から避けた状態である。
【００１２】
図３は、１１．雨が上って３．保水部への給水が止まり．５、ひもを介して毛細現象で６．保水された水は放水されて３．保水部は空になり１．棒が跳ね上がり９．スイッチを１．棒の圧す状態から解放されて、図１、の状態に戻る経過図である。
上記の経過の、のちは干し物は元の状態にもどる。
図４、図５は、１４．モーター、を 基点に１５．直線な、さお１６．曲線な、さおを自在に巡回する様に物干しさおを１７、継ぎ手で組み合わせた一例を示す図であり、（図面無し）ワイヤーが１４．モーターのドラムを介して該物干し１４図、１５図、の１５．１６．のさおに沿って、巡回するように１４．モーターの正、逆回転で反転する該ワイヤーに仕掛けた干し物が、前述の感知装置の信号で、干したり降雨があれば雨を避けたりを必要に応じ何度でも繰り返すように構成したものである。
【図面の簡単な説明】
【００１３】
【図１】本発明の側断面図である。   （支点を中心にした左右のバランスを示す）
【図２】図１の、降雨時の図である。 （バランスを崩し、スイッチを圧すを示す）
【図３】図１の、雨が上がった図である （バランスが戻り図１に戻る過程を示す）
【図４】干し物さおをモータを基点に自在な組み合わせの、一例の平面図１、である。
【図５】図５と同じく一例の平面図２、である。
【符号の説明】
【００１４】
１．        天びん棒
２．        支点
３．        保水部
４．        重り
５．        布、ひも等
６．        保水
７．        ジョウゴウ等
８．        感知装置
９．        スイッチ
１０．        リード線
１１．        降雨
１２．        水滴
１３．        感知装置
１４．        モーター
１５．        直線な、さお
１６．        曲線な、さお
１７．        さおの継ぎ手
１８．        オーバーフローの水滴
【図１】
2007111080.tif 000003
【図２】
2007111080.tif 000004
【図３】
2007111080.tif 000005
【図４】
2007111080.tif 000006
【図５】
2007111080.tif 000007
【手続補正書】
【提出日】平成17年11月2日(2005.11.2)
【手続補正２】
【補正対象書類名】特許請求の範囲
【補正対象項目名】全文
【補正方法】変更
【補正の内容】
【特許請求の範囲】
【請求項１】
支点を中心にして天びん棒の左右の重量のバランス（以下バランスと言う）の保たれた、天びん棒の一方向の一端の保水部分に、降雨の水滴をジョウゴ状の斜面で集め保水して、該保水の重量（数摘）により天びん棒（以下棒と言う）のバランスの崩に伴う、棒の移動による動きＡと、該保水された水を放水して再び保水部を空にして、上記の元のバランスの位置に戻る棒の動きＢで、電気のスイッチを圧したり解放したりして信号を出すことを特徴とする、降雨、雨上がりの、感知装置を設けた物干しシステム。
【請求項２】
請求項１記載の降雨、雨上がり、感知装置の保水部に保水した水を、布、ひも等（以下ひもと言う）を該水中から、その水位の下まで垂らして毛細現象等（以下毛細現象と言う）の作用で、ひもを介して該保水を少しづつ放水して、保水部を空にして棒が元のバランスに戻る動きで、電気のスイッチを解放した信号で雨の上がったことを感知するが、上記のひもの太さ、長さの調整で放水の速度を（数分から）自在な時間に設定できることを特徴とする請求項１、に記載の感知装置を設けた物干しシステム。
【請求項３】
請求項１、請求項２、に記載の降雨、雨上がり、の感知装置の機能により、干し物は少しの降雨でも感知してモーターの正駆動で干し物は該雨を避け、雨が上がると短時間で再びモーターの逆駆動で自動的に元に戻す作業を、必要に応じ何度でも繰り返すことを特徴とする物干しシステム。
【請求項４】
請求項１、請求項２、請求項３に記載の降雨、雨上がり、感知装置を設置し各さお部品を組合わせて、図４、図５の様にスペースに適した、必要に応じた大きさや形状を自在に構成できる事を特徴とする物干しシステム。
【手続補正３】
【補正対象書類名】明細書
【補正対象項目名】全文
【補正方法】変更
【補正の内容】
【発明の詳細な説明】
【技術分野】
【０００１】
本発明は、露天での干し物の際に雨が降って来たら短時間で、干し物は雨にぬれない場所に移動して雨を避け、雨が上がれば再び元の物干し状態に短時間に戻ることを、必要に応じ何度でも繰り返す、物干しシステムに関するものである。
【背景技術】
【０００２】
従来より、たとえば洗濯物を露天に干した場合、外出したり又うっかりした時に不意な雨が降ってきて、せっかく乾かしている干し物を、ぬらしてしまう事がよくあった。
または、特開２００４ー２７９３９２号公報によると、図１の符号、１．導体２．導体、との間に３，吸湿性の媒体、を挟み込み降雨があると、３．吸湿性媒体に水分が保持され１．導体２．導体とが通電し機能が発揮されるが、雨があがって３．吸湿性媒体から保水した水分が抜けて自然に乾燥すると１．導体と２．導体との通電が途絶える、提案がなされている。
また、図９符号３７．シート．笠．屋根等の移動しての、該下のスペース範囲での干し物の雨からの回避装置が提案されている。
【０００３】
【特許文献１】特開２００４−２７９３９２号公報
【発明の開示】
【発明が解決しようとする課題】
【０００４】
しかし、従来の方法では雨が降って来て、すぐに干し物は雨を避けることが出来ても、雨が上がっても 吸湿性の媒体が自然に乾燥するまでは、雨が上がった状態を感知できないのでその間、干し物は雨を避けた状態が続くと言う欠点がある。
また．シート．笠．屋根、等の移動による干し物の防雨には構造上スペース的に限度があると言う欠点がある。
【０００５】
そこで、本発明は簡単な機構によって、露天に干し物を乾燥のために干した場所に不意に雨が降って来ても、本発明の感知装置で感知してすみやかに、干し物を降雨から避け、雨が上がると該感知装置が再び、必要に応じた調節で自在に（数分）短時間で雨の上がった事を感知 して、元の露天干の状態に戻して、効率よく干し物を乾燥させる事を目的としてなされたものである。
【課題を解決するための手段】
【０００６】
本発明にかかる請求項１、請求項２、請求項３、請求項４、請求項５の物干しシステムを、以下図、と符号に基づき説明する符号２．の支点を中心に１．棒を左右の重量バランスを保ち、該１．棒の一方向先端の３．保水部分に７．ジョウゴ状（以下ジョウゴと言う）の斜面で１１．降雨の１２．水滴を３．保水部に集めた６．水の重量で１．棒のバランスが崩れ該１．棒が移動して９．スイッチを動かし降雨を感知して４図、５図、の１４．モーターを正回転で駆動させワイヤー等（以下ワイヤーと言う）を巡回するようにに引き寄せ、ワイヤーに連接して干している干し物を雨のかからない場所に取り入れるように構成した。
次に請求項２では５.ひもの毛細現象の作用で３.保水部分に降雨が続いて、保水量を越える水１８.は（ホコリ等も同時に）オーバーフローするが３.保水部分の６.水の重量が確保されて、（ただし常に５.ひもによる毛細現象の作用で少しずつ放水されている、）雨が上がると放水のみになって結果３.保水部分が軽くなって１.棒が跳ね上がり、移動する動きで９.スイッチを元に戻し雨の上がった事を１３.感知部で感知して、さらにリレーを介して再び１４.モーターを逆回転駆動させワイヤーを巡回転的に引き寄せ必要に応じた時間で元の物干し状態に戻すように構成した。
請求項３では、図４、図５、の様に１４．モーターを基点に自在な長さの部品１５．直線な、さお１６.曲線状さおを物干し場のスペースに必要に応じた形状や規模に１７．で連接して自在に組みあわせるように構成した。
【０００７】
さらに本物干しシステムは、日曜大工程度の軽作業で容易に設置できるように構成した。  
【発明の効果】
【０００８】
本発明は、前記説明のように構成されているので、所用で出掛るとき等天気を気にする事なく、不意な降雨があっても干し物は自動的に降雨を避けたり、また雨が上がると元の降雨の前の状態に戻って効率よく乾燥 することができる。
【発明を実施するための最良の形態】
【０００９】
以下に、本発明にかかる物干しシステムを、その実施の形態を示した図と符号に基づいて詳細に説明する。
【実施例】
【００１０】
図１は、本発明の一実施例にかかる物干しシステムの、１３．感知装置の側断面図であり、２．支点を中心に１．棒の左右の両端にそれぞれ３．保水部４．重り５．ひもを設け１、棒を平行にバランスを保った図である。
図２は、上記説明の図１に１１．降雨を７．ジョウゴで集め１２．水滴が３．保水部に保水され、その重量で１．棒の平行バランスが崩その１．棒の移動の動きで１．棒で９の９．スイッチを圧した状態を示す、なお１１．降雨が続けば３．保水量よりあまった６．水は３．保水部より１８．オーバーフローし、（ホコリも同時に）片や６．ひもを介して常に毛細現象で少しづつ放水もしている図である。
【００１１】
このとき、干し物は雨から避けた状態である。
【００１２】
図３は、１１．雨が上って３．保水部への給水が止まり、５.ひもを介して毛細現象で６．保水された水は放水されて３．保水部は空になり１．棒が跳ね上がり９．スイッチを１．棒の圧す状態から解放されて、図１、の状態に戻る経過図である。
上記の経過の、のちは干し物は元の状態にもどる。
図４、図５は、１４．モーター、を 基点に１５．直線状さお１６．曲線状さおを自在に巡回する様に物干しさおを１７.継ぎ手で組み合わせた一例を示す図であり、（図面無し）ワイヤーが１４．モーターのドラムを介して該物干し１４図、１５図、の１５．１６．のさおに沿って、巡回するように１４．モーターの正、逆回転で反転する該ワイヤーに仕掛けた干し物が、前述の感知装置の信号で、干したり降雨があれば雨を避けたりを必要に応じ何度でも繰り返すように構成したものである。
【図面の簡単な説明】
【００１３】
【図１】本発明の側断面図である。   （支点を中心にした左右のバランスを示す）
【図２】図１の、降雨時の図である。 （バランスを崩し、スイッチを圧すを示す）
【図３】図１の、雨が上がった図である （バランスが戻り図１に戻る過程を示す）
【図４】干し物さおのモータを基点に自在な組み合わせをした一例の平面図１、である。
【図５】図５と同じく一例の平面図２、である。
【符号の説明】
【００１４】
１．        天びん棒
２．        支点
３．        保水部
４．        重り
５．        布、ひも等
６．        保水
７．        ジョウゴ等
８．        感知装置
９．        スイッチ
１０．        リード線
１１．        降雨
１２．        水滴
１３．        感知装置
１４．        モーター
１５．        直線状さお
１６．        曲線状さお
１７．        さおの継ぎ手
１８．        オーバーフローの水滴